【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
電源に接続される二つの電極（１、２）の間で液晶素子（３）を支持する基板（４、５）を備える、可変の光散乱が電気的に制御されるシステムに係る液晶の再生方法であって、
再生期間DT及び少なくとも一つの再生設定点Cを含む再生のためのデータを提供し、
動作データと前記再生設定点Cの比較を含む再生のプログラミングをし、
一つ又は複数の前記設定点Cに達すると、前記期間DTの期間、電子回路を自動的に電源切断することにより自動的に再生し、
使用の履歴及び／又は使用の状況に応じて、再生が進行中の間、「強制モード」と称される動作の決定のプログラミングをすることを含む方法。
【請求項２】
請求項１に記載の電気的に制御されるシステムに係る液晶の再生方法において、
前記再生のデータの値のうちの少なくとも一つは通信ネットワークを介して送られることを特徴とする方法。
【請求項３】
請求項１又は２に記載の電気的に制御されるシステムに係る液晶の再生方法において、
前記再生を自動的に中断するための信号を通信ネットワークを介して前記電源に伝送することを含むことを特徴とする方法。
【請求項４】
請求項１〜３のうちの何れか一項に記載の電気的に制御されるシステムの再生方法において、
特にC及びDTの、前記再生を実行するためのデータの受信のために、並びに／又は実行される前記再生におけるデータの伝送のために前記電源を通信ネットワークと接続することを含むことを特徴とする方法。
【請求項５】
請求項４に記載の電気的に制御されるシステムの再生方法において、
強制モードのリクエストを前記通信ネットワークを介して伝送すること及び／又は強制モードのリクエストを前記電源との直接接続により伝送することを含むことを特徴とする方法。
【請求項６】
請求項１〜５のうちの何れか一項に記載の電気的に制御されるシステムに係る液晶の再生方法において、
通信ネットワークに接続する一つ又は複数のスイッチの作動により、強制モードのリクエストを伝送すること及び／又は強制モードのコマンドを伝送することを含むことを特徴とする方法。
【請求項７】
請求項１〜６のうちの何れか一項に記載の電気的に制御されるシステムに係る液晶の再生方法において、
手動のコマンドにより、又は前記電源と接続し、通信ネットワークに接続するデジタル処理手段により制御されるリレーの自動的なクローズにより強制モードの命令をすることを含むことを特徴とする方法。
【請求項８】
請求項１〜７のうちの何れか一項に記載の電気的に制御されるシステムに係る液晶の再生方法において、
特に使用の最大間隔、所定の開始時刻又は所定の時間範囲の、一時的なデータに基づいて中断が制御されることを特徴とする方法。
【請求項９】
請求項１〜８のうちの何れか一項に記載の電気的に制御されるシステムに係る液晶の再生方法において、
前記電源と電気的に接続される一つ又は複数のセンサによって供給される状況データ、又は一つ又は複数のセンサによって供給され、通信ネットワークを介して前記電源によって受信されるデータに基づいて、中断が制御されることを特徴とする方法。
【請求項１０】
請求項１〜９のうちの何れか一項に記載の電気的に制御されるシステムに係る液晶の再生方法において、
存在の検知及び／又は移動の検知がないときに所定の輝度により中断が制御されることを特徴とする方法。
【請求項１１】
請求項１〜１０のうちの何れか一項に記載の電気的に制御されるシステムの再生方法において、
特に予約サーバを通信ネットワークを介して参照することにより、電気的に制御可能なシステムを含む空間の予約がないときに中断が実施されることを特徴とする方法。
【請求項１２】
請求項１〜１１のうちの何れか一項に記載の電気的に制御されるシステムの再生方法において、
動作温度が測定又は計算される前記電気的に制御されるシステムにおける前記動作温度に応じて前記設定点C及び／又は前記再生期間DTが決定されることを特徴とする方法。
【請求項１３】
請求項１〜１２のうちの何れか一項に記載の電気的に制御されるシステムの再生方法において、
前記再生を実行するためのデータ及び／又は実行される前記再生におけるデータ並びに関連する強制モードでのデータを、好ましくは前記電源内部に、格納することを含むことを特徴とする方法。
【請求項１４】
電源に接続される二つの電極（１、２）の間で液晶素子（３）を支持する基板（４、５）をそれぞれ備える、電気的に制御される複数のシステム（１００）に係る液晶の再生の管理方法であって、
請求項１〜１３のうちの何れか一項に記載の再生方法を包含し、
前記電源のそれぞれにおいて、
再生期間DT及び少なくとも一つの再生設定点Cを含む再生のためのデータを提供し、
動作データと前記再生設定点Cの比較を含む再生のプログラミングをし、
一つ又は複数の前記設定点Cに達すると、前記期間DTの期間、電子回路を自動的に電源切断することにより自動的に再生し、
使用の履歴及び／又は使用の状況に応じて、再生が進行中の間、「強制モード」と称される動作の決定のプログラミングをすることを含み、
前記一つ又は複数の再生を実行するためのデータ又は実行される前記一つ又は複数の再生におけるデータの通信のために、同一の通信ネットワークに前記電源を接続することを含む方法。
【請求項１５】
請求項１〜１４のうちの何れか一項に記載の電気的に制御されるシステムに係る液晶の再生方法において、
前記電源のそれぞれのアドレスを指定することを含むことを特徴とする方法。
【請求項１６】
第１の電極と第２の電極（１、２）の間で液晶素子（３）を支持する基板（４、５）を備える、可変の光散乱が電気的に制御されるシステムのための電源であって、
請求項１〜１３のうちの何れか一項に記載の再生方法を組み込むために、
前記設定点C及び前記再生期間DTを受信又は計算する能力をもつ、前記再生のプログラミングのための第１の処理ユニット（２０、２１）と、
強制モードのリクエストを受信する能力をもつ、強制モードのプログラミングのための、前記第１の処理ユニットと異なる又は前記第１の処理ユニットのほかの処理ユニット（２０、２１）と、
再生を中断するための及び強制モードのためのリレー（６、７）又はリレーとの接続と、を備える電源。
【請求項１７】
請求項１〜１６のうちの何れか一項に記載の可変の光散乱が電気的に制御されるシステムのための電源であって、
マイクロコントローラ（２０）を備え、
前記マイクロコントローラは、
少なくとも第１のデジタル処理ユニット、好ましくは単一のデジタル処理ユニットを形成するマイクロプロセッサ（２１）と、
前記設定点C及び／又は前記期間DTの設定のため、並びに／又は前記設定点C及び／又は前記期間DTに従うためのカウンタ（２２）又はクロック（２２'）と、
前記設定点C及び／又は前記期間DT、並びに／又は実行される再生におけるデータ及び／又は強制モードにおけるデータを格納するための、好ましくは不揮発性の、メモリ（２３）と、
前記再生のための又は前記再生の間に強制モードを実行するためのアナログの中断信号を伝達する、少なくとも一つのデジタル−アナログ出力（２４）と、を備える電源。
【請求項１８】
請求項１７に記載の可変の光散乱が電気的に制御されるシステムのための電源であって、
前記マイクロコントローラは、好ましくは光センサである、センサ（５０）と接続する少なくとも一つのアナログ−デジタル入力（２４'）を備えることを特徴とする電源。
【請求項１９】
請求項１７又は１８に記載の可変の光散乱が電気的に制御されるシステムのための電源であって、
好ましくはＣＡＮである、通信ネットワークとのインタフェース（２５'）を備えることを特徴とする電源。
【請求項２０】
第１の電極と第２の電極（１、２）の間で液晶素子（３）を支持する基板（３、４）を備える、少なくとも一つの、可変の光散乱が電気的に制御されるシステム（１００）に係る液晶の再生のための装置（１０００から３０００まで）であって、
通信ネットワークと接続する、請求項１７〜１９のうちの何れか一項に記載の、少なくとも一つの電源と、
処理ユニット（２０'）を介して通信ネットワークと接続することが潜在的に可能であり、通常操作のための又は前記再生を中断する場合の強制モードのリクエストのための利用者による操作が可能な、メインスイッチと呼ばれる、少なくとも一つのスイッチ（３０、３０'）と、
好ましくは、処理ユニット（２０''）を介して通信ネットワークと接続することが潜在的に可能であり、前記再生を中断する場合の強制モードのコマンドのための利用者による操作が可能な、緊急スイッチ（６'''）と呼ばれる、少なくとも一つの他のスイッチと、
潜在的に、前記再生を中断する場合の強制モードのコマンドのための、通信ネットワークと接続する処理ユニット（２０''）によって制御される、予備スイッチ（６''）と呼ばれるリレーと、を備える装置。